(57)【要約】      （修正有）【課題】簡易な構造で、所望のように管理可能な紙幣束を生成することができる紙幣処理機を提供することを目的とする。【解決手段】ＲＦＩＤリーダーによって読み取られた紙幣のＲＦＩＤデータに基づき、集積紙幣に含まれた紙幣の金種があらかじめ指定された金種と同一か否か、および、集積紙幣に含まれた紙幣の枚数があらかじめ指定された枚数に等しいか否かを判定するＣＰＵと、集積紙幣載置部１０に載置された集積紙幣の周囲に、結束テープを巻回して、帯封処理を施す帯封処理手段１５ａ、１５ｂ、１６、１７と、ＣＰＵが、集積紙幣に含まれた紙幣の金種があらかじめ指定された金種と同一で、かつ、集積紙幣に含まれた紙幣の枚数があらかじめ指定された枚数に等しいと判定したときに、帯封処理手段１５ａ、１５ｂ、１６、１７に帯封処理を開始させるように構成されたことを特徴とする紙幣処理機。【選択図】図２
2008257452.tif 000002
【特許請求の範囲】
【請求項１】
所定枚数の集積紙幣を載置する集積紙幣載置部と、前記集積紙幣に含まれた紙幣に書き込まれたＲＦＩＤデータを読み取るＲＦＩＤリーダーと、前記ＲＦＩＤリーダーによって読み取られた前記紙幣のＲＦＩＤデータに基づき、前記集積紙幣に含まれた紙幣の金種があらかじめ指定された金種と同一か否か、および、前記集積紙幣に含まれた紙幣の枚数があらかじめ指定された枚数に等しいか否かを判定する判定手段と、前記集積紙幣載置部に載置された前記集積紙幣の周囲に、結束テープを巻回して、帯封処理を施す帯封処理手段と、前記判定手段が、前記集積紙幣に含まれた紙幣の金種があらかじめ指定された金種と同一で、かつ、前記集積紙幣に含まれた紙幣の枚数があらかじめ指定された枚数に等しいと判定したときに、前記帯封処理手段に帯封処理を開始させる制御手段を備えたことを特徴とする紙幣処理機。
【請求項２】
前記集積紙幣載置部が、外部からアクセス可能に設けられたことを特徴とする請求項１に記載の紙幣処理機。
【請求項３】
前記集積紙幣載置部の壁部が、前記ＲＦＩＤライターから発信される周波数の電波を遮蔽可能な材料によって形成されたことを特徴とする請求項１または２に記載の紙幣処理機。
【請求項４】
前記紙幣に書き込まれた前記ＲＦＩＤデータが、少なくとも、その紙幣を特定するＩＤデータと、その紙幣の金種を特定する金種データを含んでいることを特徴とする請求項１ないし３のいずれか１項に記載の紙幣処理機。
【請求項５】
前記紙幣に、ＩＣチップとアンテナを備えたインレットが一体的に形成され、前記紙幣のＲＦＩＤデータが前記ＩＣチップ内に書き込まれていることを特徴とする請求項１ないし４のいずれか１項に記載の紙幣処理機。
【請求項６】
さらに、前記結束テープに、前記紙幣のＲＦＩＤデータを書き込むＲＦＩＤライターを備えたことを特徴とする請求項１ないし５のいずれか１項に記載の紙幣処理機。
【請求項７】
前記集積紙幣載置部の壁部が、さらに、前記ＲＦＩＤライターから発信される周波数の電波を遮蔽可能に形成されたことを特徴とする請求項６に記載の紙幣処理機。
【請求項８】
前記結束テープに、ＩＣチップとアンテナを備えたインレットが形成され、前記ＲＦＩＤライターが、前記紙幣のＲＦＩＤデータを、前記結束テープに形成されたインレットのＩＣチップに書き込むように構成されたことを特徴とする請求項６または７に記載の紙幣処理機。
【請求項９】
前記ＲＦＩＤライターが、さらに、紙幣束を構成する紙幣の金種、枚数、金融機関名、支店名、紙幣処理機のＩＤデータ、オペレータの名前および帯封処理を実行した日時よりなる群から選ばれる少なくとも一種の情報を表わすＲＦＩＤデータを、前記結束テープに書き込むように構成されたことを特徴とする請求項６ないし８のいずれか１項に記載の紙幣処理機。
【請求項１０】
さらに、情報を表示する表示手段を備え、前記表示手段が、前記ＲＦＩＤリーダーによって読み取られた前記集積紙幣に含まれた紙幣のＲＦＩＤデータに基づいて、前記集積紙幣に含まれた紙幣の金種および枚数を表示するように構成されたことを特徴とする請求項１ないし９のいずれか１項に記載の紙幣処理機。
【請求項１１】
さらに、前記集積紙幣があらかじめ指定された金種以外の金種の紙幣を含んでいると、前記判定手段が判定した場合に、前記表示手段が、前記集積紙幣にあらかじめ指定された金種以外の金種の紙幣が含まれている旨ならびに前記集積紙幣に含まれているあらかじめ指定された金種以外の紙幣の金種および枚数を表示し、前記集積紙幣に含まれている紙幣の枚数があらかじめ指定された枚数に満たないか、あるいは、前記集積紙幣に含まれている紙幣の枚数があらかじめ指定された枚数を越えていると、前記判定手段が判定した場合に、前記表示手段が、前記集積紙幣に含まれている紙幣の枚数があらかじめ指定された枚数に満たない旨および不足している紙幣の枚数を表示し、あるいは、前記集積紙幣に含まれている紙幣の枚数があらかじめ指定された枚数を越えている旨および超過している紙幣の枚数を表示するように構成されたことを特徴とする請求項１０に記載の紙幣処理機。
【請求項１２】
さらに、前記判定手段が、前記集積紙幣があらかじめ指定された金種以外の金種の紙幣を含んでいると判定した場合、または、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、アラームを発するアラーム手段を備えたことを特徴とする請求項１ないし１１のいずれか１項に記載の紙幣処理機。
【請求項１３】
さらに、前記判定手段が、前記集積紙幣があらかじめ指定された金種以外の金種の紙幣を含んでいると判定した場合、または、前記集積紙幣に含まれている紙幣の枚数があらかじめ指定された枚数に満たないと判定した場合、もしくは、前記集積紙幣に含まれている紙幣の枚数があらかじめ指定された枚数を越えていると判定した場合に、前記制御手段に、前記帯封処理手段による帯封処理の開始を指示する帯封処理開始指示手段を備えたことを特徴とする請求項１ないし１２のいずれか１項に紙幣処理機。
【請求項１４】
さらに、前記帯封処理手段による帯封処理の開始の指示を確認する確認手段を備え、前記制御手段が、前記帯封処理開始指示手段から、前記帯封処理手段による帯封処理の開始の指示を受けた後、前記確認手段によって、前記帯封処理手段による帯封処理の開始の指示が確認されたときに、前記帯封処理手段に帯封処理を開始させるように構成されたことを特徴とする請求項１３に記載の紙幣処理機。
【請求項１５】
前記判定手段が、前記集積紙幣があらかじめ指定された金種以外の金種の紙幣を含んでいると判定した場合に、前記帯封処理手段により帯封処理が開始されたときに、前記ＲＦＩＤライターが、さらに、前記結束テープに、前記集積紙幣にあらかじめ指定された金種以外の金種の紙幣が含まれている旨のＲＦＩＤデータを書き込み、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、前記帯封処理手段により帯封処理が開始されたときに、前記ＲＦＩＤライターが、さらに、前記結束テープに、前記集積紙幣に含まれている紙幣の枚数があらかじめ指定された枚数に満たないか、もしくは、前記集積紙幣に含まれている紙幣の枚数があらかじめ指定された枚数を越えている旨のＲＦＩＤデータを書き込むように構成されたことを特徴とする請求項１３または１４に記載の紙幣処理機。
【請求項１６】
さらに、前記結束テープに可視データを書き込み可能なデータ書き込み手段を備え、前記判定手段が、前記集積紙幣があらかじめ指定された金種以外の金種の紙幣を含んでいると判定した場合に、前記帯封処理手段により帯封処理が開始されたときに、前記データ書き込み手段が、前記結束テープに、前記集積紙幣にあらかじめ指定された金種以外の金種の紙幣が含まれている旨の可視データを書き込み、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、前記帯封処理手段により帯封処理が開始されたときに、前記データ書き込み手段が、前記結束テープに、前記集積紙幣に含まれている紙幣の枚数があらかじめ指定された枚数に満たないか、もしくは、前記集積紙幣に含まれている紙幣の枚数があらかじめ指定された枚数を越えている旨の可視データを書き込むように構成されたことを特徴とする請求項１３または１４に記載の紙幣処理機。
【請求項１７】
前記集積紙幣載置部の入口に、金属性のシャッタが設けられたことを特徴とする請求項１ないし１６のいずれか１項に記載の紙幣処理機。
【請求項１８】
前記結束テープに、前記インレットが所定の間隔で形成されていることを特徴とする請求項８ないし１７のいずれか１項に記載の紙幣処理機。
【請求項１９】
前記インレットが、前記結束テープに一体的に形成されていることを特徴とする請求項８ないし１８のいずれか１項に記載の紙幣処理機。
【請求項２０】
前記インレットが、埋め込み、貼り付けおよび印刷よりなる群から選ばれる方法によって、前記結束テープに一体的に形成されていることを特徴とする請求項８ないし１９のいずれか１項に記載の紙幣処理機。
【請求項２１】
前記インレットが一体的に形成されたラベルを、前記結束テープに貼り付けることによって、前記インレットが前記結束テープに形成されていることを特徴とする請求項８ないし１９のいずれか１項に記載の紙幣処理機。
【発明の詳細な説明】
【技術分野】
【０００１】
本発明は、紙幣処理機に関するものであり、さらに詳細には、集積された所定枚数の紙幣に、結束テープを巻回して、帯封処理が施された紙幣束を生成する紙幣処理機であって、簡易な構造で、所望のように管理可能な紙幣束を生成することができる紙幣処理機に関するものである。
【背景技術】
【０００２】
オペレータによって、紙幣載置部に集積された所定枚数の紙幣の略中央部に、結束テープを巻回して、帯封処理を施し、結束テープが巻回された紙幣束を生成するように構成された紙幣処理機が知られている（たとえば、特公平６１−３０９７３号公報など。）。
【０００３】
【特許文献１】特公平６１−３０９７３号公報
【発明の開示】
【発明が解決しようとする課題】
【０００４】
かかる従来の紙幣処理機により、生成された紙幣束は、単に、所定枚数の紙幣を含む紙幣束の略中央部に、結束テープを巻回して、帯封処理が施されただけのもので、紙幣束に含まれている紙幣が同じ金種の真正な紙幣であるという保証はなく、また、紙幣束に含まれている紙幣の枚数を実際に数えない限り、帯封処理が施された紙幣束が所定枚数の紙幣を含んでいるか否かを判別することができず、さらには、帯封処理が施された紙幣束からは、所定枚数の紙幣束に帯封処理を施す権限を有する機関によって、真正に生成されたものか否かを判別することが不可能であるため、帯封処理が施されていても、紙幣束を所望のように管理することができないという問題があった。
【０００５】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００６】
しかしながら、ＲＦＩＤシステムを利用して、紙幣処理機や紙幣束生成機をどのように構成するかについての具体的な提案はほとんどなされていなかった。
【０００７】
したがって、本発明は、集積された所定枚数の紙幣に、結束テープを巻回して、帯封処理が施された紙幣束を生成する紙幣処理機であって、簡易な構造で、所望のように管理可能な紙幣束を生成することができる紙幣処理機を提供することを目的とするものである。
【課題を解決するための手段】
【０００８】
本発明のかかる目的は、所定枚数の集積紙幣を載置する集積紙幣載置部と、前記集積紙幣に含まれた紙幣に書き込まれたＲＦＩＤデータを読み取るＲＦＩＤリーダーと、前記ＲＦＩＤリーダーによって読み取られた前記紙幣のＲＦＩＤデータに基づき、前記集積紙幣に含まれた紙幣の金種があらかじめ指定された金種と同一か否か、および、前記集積紙幣に含まれた紙幣の枚数があらかじめ指定された枚数に等しいか否かを判定する判定手段と、前記集積紙幣載置部に載置された前記集積紙幣の周囲に、結束テープを巻回して、帯封処理を施す帯封処理手段と、前記判定手段が、前記集積紙幣に含まれた紙幣の金種があらかじめ指定された金種と同一で、かつ、前記集積紙幣に含まれた紙幣の枚数があらかじめ指定された枚数に等しいと判定したときに、前記帯封処理手段に帯封処理を開始させる制御手段を備えたことを特徴とする紙幣処理機によって達成される。
【０００９】
本発明によれば、紙幣処理機は、ＲＦＩＤリーダーによって、集積紙幣載置部に載置された集積紙幣に含まれる紙幣に書き込まれたＲＦＩＤデータを読み取り、ＲＦＩＤリーダーが読み取った紙幣のＲＦＩＤデータに基づき、判定手段によって、集積紙幣に含まれた紙幣の金種があらかじめ指定された金種と同一か否か、および、集積紙幣に含まれた紙幣の枚数があらかじめ指定された枚数に等しいか否かを判定し、判定手段が、集積紙幣に含まれた紙幣の金種があらかじめ指定された金種と同一で、かつ、集積紙幣に含まれた紙幣の枚数があらかじめ指定された枚数に等しいと判定したときに、制御手段が、帯封処理手段に帯封処理を開始させて、集積紙幣載置部に載置された集積紙幣の周囲に、結束テープを巻回して、帯封処理を施し、紙幣束を生成するように構成されているから、紙幣束に、所定枚数の同一金種の紙幣のみが含まれていることが保証され、したがって、改めて、紙幣束に含まれる紙幣の金種を、紙幣判別器によって判別したり、紙幣束に含まれている紙幣を数え直す必要がないから、生成された紙幣束を所望のように管理することが可能になる。
【００１０】
本発明の好ましい実施態様においては、前記集積紙幣載置部が、外部からアクセス可能に設けられている。
【００１１】
本発明の好ましい実施態様によれば、集積紙幣載置部が、外部からアクセス可能に設けられ、また、集積紙幣載置部に載置されている集積紙幣に結束テープが巻回されて、紙幣束が生成されるように構成されているから、紙幣や集積紙幣を搬送するための搬送機構を設ける必要がなく、したがって、紙幣処理機の機械的構成を大幅に簡略化することが可能になる。
【００１２】
本発明のさらに好ましい実施態様においては、前記集積紙幣載置部の壁部が、前記ＲＦＩＤライターから発信される周波数の電波を遮蔽可能な材料によって形成されている。
【００１３】
本発明の好ましい実施態様においては、前記紙幣に書き込まれた前記ＲＦＩＤデータが、少なくとも、その紙幣を特定するＩＤデータと、その紙幣の金種を特定する金種データを含んでいる。
【００１４】
本発明のさらに好ましい実施態様においては、前記紙幣に、ＩＣチップとアンテナを備えたインレットが一体的に形成され、前記紙幣のＲＦＩＤデータが前記ＩＣチップ内に書き込まれている。
【００１５】
本発明の好ましい実施態様においては、紙幣処理機が、さらに、前記結束テープに、前記紙幣のＲＦＩＤデータを書き込むＲＦＩＤライターを備えている。
【００１６】
本発明の好ましい実施態様によれば、ＲＦＩＤライターによって、紙幣束に巻回された結束テープに、紙幣束を構成する紙幣の金種データ、ＩＤデータなどの紙幣束を構成する紙幣に関するＲＦＩＤデータならびに紙幣束を構成する紙幣の金種、枚数、金融機関名、支店名、紙幣処理機のＩＤデータ、オペレータの名前および帯封処理を実行した日時などの帯封処理に関するＲＦＩＤデータなどのＲＦＩＤデータを書き込むことができるから、ＲＦＩＤリーダーによって、紙幣束に巻回された結束テープに書き込まれたＲＦＩＤデータを読み取ることによって、紙幣束が、紙幣束を作成する権限を有する機関によって真正に生成されたものか否かを容易に判別することができ、したがって、生成された紙幣束を所望のように管理することが可能になる。
【００１７】
本発明のさらに好ましい実施態様においては、前記集積紙幣載置部の壁部が、さらに、前記ＲＦＩＤライターから発信される周波数の電波を遮蔽可能に形成されている。
【００１８】
本発明のさらに好ましい実施態様においては、前記結束テープに、ＩＣチップとアンテナを備えたインレットが形成され、前記ＲＦＩＤライターが、前記紙幣のＲＦＩＤデータを、前記結束テープに形成されたインレットのＩＣチップに書き込むように構成されている。
【００１９】
本発明のさらに好ましい実施態様においては、前記ＲＦＩＤライターが、さらに、紙幣束を構成する紙幣の金種、枚数、金融機関名、支店名、紙幣処理機のＩＤデータ、オペレータの名前および帯封処理を実行した日時よりなる群から選ばれる少なくとも一種の情報を表わすＲＦＩＤデータを、前記結束テープに書き込むように構成されている。
【００２０】
本発明のさらに好ましい実施態様によれば、ＲＦＩＤライターによって、結束テープに、紙幣束を構成する紙幣の金種、枚数、金融機関名、支店名、紙幣処理機のＩＤデータ、オペレータの名前および帯封処理を実行した日時よりなる群から選ばれる少なくとも一種の情報を表わすＲＦＩＤデータを書き込むことができるから、ＲＦＩＤリーダーによって、紙幣束に巻回された結束テープに書き込まれたＲＦＩＤデータを読み取ることによって、紙幣束が、紙幣束を作成する権限を有する機関によって真正に生成されたものか否かを確実に判別することができ、したがって、生成された紙幣束を所望のように管理することが可能になる。
【００２１】
本発明のさらに好ましい実施態様においては、紙幣処理機が、さらに、情報を表示する表示手段を備え、前記表示手段が、前記ＲＦＩＤリーダーによって読み取られた紙幣のＲＦＩＤデータに基づいて、前記集積紙幣に含まれた紙幣の金種および枚数を表示するように構成されている。
【００２２】
本発明のさらに好ましい実施態様においては、さらに、前記集積紙幣があらかじめ指定された金種以外の金種の紙幣を含んでいると、前記判定手段が判定した場合に、前記表示手段が、前記集積紙幣にあらかじめ指定された金種以外の金種の紙幣が含まれている旨ならびに前記集積紙幣に含まれているあらかじめ指定された金種以外の紙幣の金種および枚数を表示し、前記集積紙幣に含まれている紙幣の枚数があらかじめ指定された枚数に満たないか、あるいは、前記集積紙幣に含まれている紙幣の枚数があらかじめ指定された枚数を越えていると、前記判定手段が判定した場合に、前記表示手段が、前記集積紙幣に含まれている紙幣の枚数があらかじめ指定された枚数に満たない旨および不足している紙幣の枚数を表示し、あるいは、前記集積紙幣に含まれている紙幣の枚数があらかじめ指定された枚数を越えている旨および超過している紙幣の枚数を表示するように構成されている。
【００２３】
本発明のさらに好ましい実施態様によれば、判定手段によって、集積紙幣があらかじめ指定された金種以外の金種の紙幣を含んでいると判定された場合に、集積紙幣にあらかじめ指定された金種以外の金種の紙幣が含まれている旨ならびに集積紙幣に含まれているあらかじめ指定された金種以外の紙幣の金種および枚数が、表示手段に表示されるように構成されているから、紙幣束の生成処理を停止し、集積紙幣載置部から取り出した集積紙幣に含まれているあらかじめ指定した金種以外の紙幣を、あらかじめ指定した金種の紙幣に差し替えて、集積紙幣載置部に、集積紙幣をセットすることによって、速やかに、紙幣束の生成処理を再開することができ、紙幣処理機の処理効率を大幅に向上させることが可能になる。
また、本発明のさらに好ましい実施態様によれば、判定手段によって、集積紙幣に含まれている紙幣の枚数があらかじめ指定された枚数に満たないか、あるいは、集積紙幣に含まれている紙幣の枚数があらかじめ指定された枚数を越えていると判定された場合に、集積紙幣に含まれている紙幣の枚数があらかじめ指定された枚数に満たない旨および不足している紙幣の枚数が、表示手段に表示され、あるいは、前記集積紙幣に含まれている紙幣の枚数があらかじめ指定された枚数を越えている旨および超過している紙幣の枚数が、表示手段に表示されるように構成されているから、紙幣束の生成処理を停止し、集積紙幣載置部から取り出した集積紙幣に不足している紙幣を追加し、あるいは、集積紙幣から超過している紙幣を取り去って、集積紙幣載置部に、集積紙幣をセットすることによって、速やかに、紙幣束の生成処理を再開することができ、紙幣処理機の処理効率を大幅に向上させることが可能になる。
【００２４】
本発明のさらに好ましい実施態様においては、紙幣処理機が、さらに、前記判定手段が、前記集積紙幣があらかじめ指定された金種以外の金種の紙幣を含んでいると判定した場合、または、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、アラームを発するアラーム手段を備えている。
【００２５】
本発明のさらに好ましい実施態様においては、紙幣処理機が、さらに、前記判定手段が、前記集積紙幣があらかじめ指定された金種以外の金種の紙幣を含んでいると判定した場合、または、前記集積紙幣に含まれている紙幣の枚数があらかじめ指定された枚数に満たないと判定した場合、もしくは、前記集積紙幣に含まれている紙幣の枚数があらかじめ指定された枚数を越えていると判定した場合に、前記制御手段に、前記帯封処理手段による帯封処理の開始を指示する帯封処理開始指示手段を備えている。
【００２６】
本発明のさらに好ましい実施態様によれば、判定手段が、集積紙幣があらかじめ指定された金種以外の金種の紙幣を含んでいると判定した場合、または、集積紙幣に含まれている紙幣の枚数があらかじめ指定された枚数に満たないと判定した場合、もしくは、集積紙幣に含まれている紙幣の枚数があらかじめ指定された枚数を越えていると判定した場合に、制御手段に、帯封処理手段による帯封処理の開始を指示する帯封処理開始指示手段を備えているから、集積紙幣があらかじめ指定された金種以外の金種の紙幣を含んでいる場合、または、集積紙幣に含まれている紙幣の枚数があらかじめ指定された枚数に満たない場合、もしくは、集積紙幣に含まれている紙幣の枚数があらかじめ指定された枚数を越えている場合においても、所望により、集積紙幣に結束テープを巻回して、紙幣束を生成することができ、したがって、紙幣束を生成すべきでない場合にも、紙幣が散逸することを効果的に防止して、紙幣を管理することが可能になり、紙幣処理機の有用性を向上させることが可能になる。
【００２７】
本発明のさらに好ましい実施態様においては、紙幣処理機が、さらに、前記帯封処理手段による帯封処理の開始の指示を確認する確認手段を備え、前記制御手段が、前記帯封処理開始指示手段から、前記帯封処理手段による帯封処理の開始の指示を受けた後、前記確認手段によって、前記帯封処理手段による帯封処理の開始の指示が確認されたときに、前記帯封処理手段に帯封処理を開始させるように構成されている。
【００２８】
本発明のさらに好ましい実施態様においては、前記判定手段が、前記集積紙幣があらかじめ指定された金種以外の金種の紙幣を含んでいると判定した場合に、前記帯封処理手段により帯封処理が開始されたときに、前記ＲＦＩＤライターが、さらに、前記結束テープに、前記集積紙幣にあらかじめ指定された金種以外の金種の紙幣が含まれている旨のＲＦＩＤデータを書き込み、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、前記帯封処理手段により帯封処理が開始されたときに、前記ＲＦＩＤライターが、さらに、前記結束テープに、前記集積紙幣に含まれている紙幣の枚数があらかじめ指定された枚数に満たないか、もしくは、前記集積紙幣に含まれている紙幣の枚数があらかじめ指定された枚数を越えている旨のＲＦＩＤデータを書き込むように構成されている。
【００２９】
本発明のさらに好ましい実施態様によれば、判定手段が、集積紙幣があらかじめ指定された金種以外の金種の紙幣を含んでいると判定した場合に、帯封処理手段により帯封処理が開始されたときに、ＲＦＩＤライターが、さらに、結束テープに、集積紙幣にあらかじめ指定された金種以外の金種の紙幣が含まれている旨のＲＦＩＤデータを書き込み、判定手段が、集積紙幣に含まれている紙幣の枚数があらかじめ指定された枚数に満たないか、もしくは、集積紙幣に含まれている紙幣の枚数があらかじめ指定された枚数を越えていると判定した場合に、帯封処理手段により帯封処理が開始されたときに、ＲＦＩＤライターが、さらに、結束テープに、集積紙幣に含まれている紙幣の枚数があらかじめ指定された枚数に満たないか、もしくは、集積紙幣に含まれている紙幣の枚数があらかじめ指定された枚数を越えている旨のＲＦＩＤデータを書き込むように構成されているから、あらかじめ指定された金種以外の金種の紙幣を含んでいる紙幣束、または、紙幣の枚数があらかじめ指定された枚数に満たない紙幣束、もしくは、紙幣の枚数があらかじめ指定された枚数を越えている紙幣束が、誤って、あらかじめ指定された枚数のあらかじめ指定された金種の紙幣を含む紙幣束に混入した場合にも、ＲＦＩＤリーダーによって、結束テープに書き込まれているＲＦＩＤデータを読み取ることによって、これらの紙幣束を検出し、所望のように生成された紙幣束と分離することができ、したがって、紙幣束を所望のように管理することが可能になる。
【００３０】
本発明の別の好ましい実施態様においては、紙幣処理機が、さらに、前記結束テープに可視データを書き込み可能なデータ書き込み手段を備え、前記判定手段が、前記集積紙幣があらかじめ指定された金種以外の金種の紙幣を含んでいると判定した場合に、前記帯封処理手段により帯封処理が開始されたときに、前記書き込み手段が、前記結束テープに、前記集積紙幣にあらかじめ指定された金種以外の金種の紙幣が含まれている旨の可視データを書き込み、前記判定手段が、前記集積紙幣に含まれている紙幣の枚数があらかじめ指定された枚数に満たないか、もしくは、前記集積紙幣に含まれている紙幣の枚数があらかじめ指定された枚数を越えていると判定した場合に、前記帯封処理手段により帯封処理が開始されたときに、前記書き込み手段が、前記結束テープに、前記集積紙幣に含まれている紙幣の枚数があらかじめ指定された枚数に満たないか、もしくは、前記集積紙幣に含まれている紙幣の枚数があらかじめ指定された枚数を越えている旨の可視データを書き込むように構成されている。
【００３１】
本発明の別の好ましい実施態様によれば、判定手段が、集積紙幣があらかじめ指定された金種以外の金種の紙幣を含んでいると判定した場合に、帯封処理手段により帯封処理が開始されたときに、データ書き込み手段が、結束テープに、集積紙幣にあらかじめ指定された金種以外の金種の紙幣が含まれている旨の可視データを書き込み、判定手段が、集積紙幣に含まれている紙幣の枚数があらかじめ指定された枚数に満たないか、もしくは、集積紙幣に含まれている紙幣の枚数があらかじめ指定された枚数を越えていると判定した場合に、帯封処理手段により帯封処理が開始されたときに、データ書き込み手段が、結束テープに、集積紙幣に含まれている紙幣の枚数があらかじめ指定された枚数に満たないか、もしくは、集積紙幣に含まれている紙幣の枚数があらかじめ指定された枚数を越えている旨の可視データを書き込むように構成されているから、あらかじめ指定された金種以外の金種の紙幣を含んでいる紙幣束、または、紙幣の枚数があらかじめ指定された枚数に満たない紙幣束、もしくは、紙幣の枚数があらかじめ指定された枚数を越えている紙幣束が、あらかじめ指定された枚数のあらかじめ指定された金種の紙幣を含む紙幣束に混入することを確実に防止することができ、したがって、紙幣束を所望のように管理することが可能になる。
【００３２】
本発明のさらに好ましい実施態様においては、前記集積紙幣載置部の入口に、金属性のシャッタが設けられている。
【００３３】
本発明のさらに好ましい実施態様においては、前記結束テープに、前記インレットが所定の間隔で形成されている。
【００３４】
本発明のさらに好ましい実施態様においては、前記インレットが、前記結束テープに一体的に形成されている。
【００３５】
本発明のさらに好ましい実施態様においては、前記インレットが、埋め込み、貼り付けおよび印刷よりなる群から選ばれる方法によって、前記結束テープに一体的に形成されている。
【００３６】
本発明の別の好ましい実施態様においては、前記インレットが、前記インレットが一体的に形成されたラベルを、前記結束テープに貼り付けることによって、前記結束テープに形成されている。
【発明の効果】
【００３７】
本発明によれば、集積された所定枚数の紙幣に、結束テープを巻回して、帯封処理が施された紙幣束を生成する紙幣処理機であって、簡易な構造で、所望のように管理可能な紙幣束を生成することができる紙幣処理機を提供することが可能になる。
【発明を実施するための最良の形態】
【００３８】
以下、添付図面に基づいて、本発明の好ましい実施態様につき、詳細に説明を加える。
【００３９】
図１は、本発明の好ましい実施態様にかかる紙幣処理機の略斜視図であり、図２は、そのＸ−Ｘ線に沿った略断面図である。
【００４０】
本実施態様にかかる紙幣処理機は、銀行などの金融機関内で使用される紙幣帯封機として構成されており、紙幣束を構成する紙幣には、紙幣の発行権限を有する機関によって、インレットが一体的に形成され、インレット中のＩＣチップに、紙幣のＩＤデータ、紙幣の金種データなどのＲＦＩＤデータが、特定のフォーマットで、記録されている。ここに、紙幣に一体的に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００４１】
本実施態様にかかる紙幣処理機は、オペレータによって、紙幣束生成部にセットされた所定枚数の集積紙幣の略中央部に、結束テープを巻回して、オペレータによって指定された金種の紙幣の紙幣束を生成し、結束テープに、紙幣束を構成する紙幣の金種データ、ＩＤデータなどの紙幣束を構成する紙幣に関するＲＦＩＤデータならび紙幣束を構成する紙幣の金種、枚数、金融機関名、支店名、紙幣処理機のＩＤデータ、オペレータの名前および帯封処理を実行した日時などの帯封処理に関するＲＦＩＤデータを書き込むように構成されており、図１および図２に示されるように、ハウジング１を備え、ハウジング１の正面には、手動により開閉可能な外部シャッタ２が設けられ、図１に示されるように、外部シャッタ２の一方の側部には、オペレータによって操作され、種々の指示信号が入力されるキーボード５ａと、紙幣の計数結果や種々のメッセージを表示するディスプレイ５ｂとを備えた操作パネル５ならびにアラームを発するスピーカー６が設けられている。
【００４２】
図２に示されるように、外部シャッタ２内には、紙幣束を生成すべき紙幣が集積されるとともに、紙幣束が生成される紙幣束生成部１０が、紙幣処理機の外部からアクセス可能に設けられ、さらに、紙幣束生成部１０の入口を開閉する金属性の内部シャッタ１１が設けられている。
【００４３】
図２に示されるように、本実施態様にかかる紙幣処理機は、紙幣束生成部１０内に、紙幣束生成部１０内にセットされた集積紙幣を挟持可能な一対の挟持部材１５ａ、１５ｂを備え、紙幣束生成部１０に隣接した位置に、ＩＣチップとアンテナを含むインレット（図示せず）が、所定の間隔で、一体的に形成された結束テープＴを、紙幣束生成部１０の側壁に形成された開口部１０ａを介して、紙幣束生成部１０内に供給する結束テープ供給部材１６が設けられている。
【００４４】
インレットを結束テープＴに一体的に形成する方法としては、結束テープＴ用の紙を抄く際に、結束テープＴ用の紙にインレットを埋め込む方法、結束テープＴにインレットを印刷する方法などが挙げられるが、とくに限定されるものではない。
【００４５】
図２に示されるように、紙幣束生成部１０内には、さらに、一対の挟持部材１５ａ、１５ｂによって挟持された集積紙幣の略中央部に、結束テープ供給部材１６から供給された結束テープＴを巻き付ける巻き付け部材（図示せず）と、集積紙幣の略中央部に巻き付けられた結束テープＴを切断するカッタ１７と、カッタ１７によって切断された結束テープＴの端部を接着する接着手段（図示せず）と、紙幣に一体的に形成されたインレット内のＩＣチップに書き込まれた紙幣のＩＤデータ、紙幣の金種データなどのＲＦＩＤデータを読み取り、後述するＣＰＵに出力するＲＦＩＤリーダー２０と、集積紙幣に巻回された結束テープＴに一体的に形成されたインレット内のＩＣチップに、紙幣束を構成する紙幣の金種データ、ＩＤデータなどの紙幣束を構成する紙幣に関するＲＦＩＤデータならび紙幣束を構成する紙幣の金種、枚数、金融機関名、支店名、紙幣処理機のＩＤデータ、オペレータの名前および帯封処理を実行した日時などの帯封処理に関するＲＦＩＤデータを書き込むＲＦＩＤライター２５とが設けられている。
【００４６】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、ＲＦＩＤリーダー２０から発信される周波数の電波およびＲＦＩＤライター２５から発信される周波数の電波が、紙幣束生成部１０外に漏れ出ることの防止が図られており、紙幣束生成部１０の開口部１０ａも十分に狭幅に形成されている。
【００４７】
図３は、図１および図２に示された紙幣処理機の制御系、検出系、駆動系、入力系および表示系を示すブロックダイアグラムである。
【００４８】
図３に示されるように、本実施態様にかかる紙幣処理機の制御系は、紙幣処理機の動作を制御するＣＰＵ３０と、紙幣処理機の制御プログラムなどが格納されたＲＯＭ３１と、各種データを記憶するＲＡＭ３２と、時計３３を備えている。
【００４９】
図３に示されるように、本実施態様にかかる紙幣処理機の検出系は、紙幣束生成部１０にセットされた紙幣を検出する紙幣センサ３５と、紙幣に一体的に形成されたインレット中のＩＣチップに記録された紙幣のＩＤデータ、紙幣の金種データなどのＲＦＩＤデータを読み取るＲＦＩＤリーダー２０を備えている。
【００５０】
図３に示されるように、本実施態様にかかる紙幣処理機の駆動系は、内部シャッタ１１を駆動するシャッタソレノイド４０と、一対の挟持部材１５ａ、１５ｂを相対的に移動させるモータ４１と、結束テープ供給部材１６を駆動するモータ４２と、カッタ１７を駆動するカッタソレノイド４３と、ＲＦＩＤライター２５を駆動するＲＦＩＤライター駆動手段４４と、巻き付け部材４５を駆動する巻き付けモータ４６と、接着手段４７を駆動する接着モータ４８とを備えている。
【００５１】
図３に示されるように、本実施態様にかかる紙幣処理機の入力系は、操作パネル５に設けられ、オペレータによって操作され、種々の指示信号が入力されるキーボード５ａを備えており、紙幣処理機の表示系は、操作パネル５に設けられ、紙幣の計数結果や種々のメッセージを表示するディスプレイ５ｂと、スピーカー６から、アラームを発するアラーム手段５０を備えている。
【００５２】
以上のように構成された本実施態様にかかる紙幣処理機は、以下のようにして、オペレータによって、紙幣束生成部１０にセットされた集積紙幣に結束テープＴを巻回して、所定枚数の同一金種の紙幣を含む紙幣束を生成する。
【００５３】
まず、オペレータによって、紙幣処理機の電源がオンされた後、外部シャッタ２が開かれて、紙幣束生成部１０に、紙幣束を生成すべき紙幣が集積される。ここに、紙幣処理機の非作動前においては、内部シャッタ１１は開放されており、したがって、オペレータは、手動で、外部シャッタ２を開いて、所望のように、紙幣束を作成すべき紙幣を紙幣束生成部１０に集積することができる。
【００５４】
紙幣束生成部１０に紙幣束を生成すべき紙幣が集積されると、集積紙幣が、紙幣センサ３５によって検出され、集積紙幣検出信号がＣＰＵ３０に入力される。
【００５５】
次いで、オペレータによって、操作パネル５に設けられたキーボード５ａにスタート信号が入力される。
【００５６】
キーボード５ａに入力されたスタート信号は、ＣＰＵ３０に出力され、スタート信号を受けると、ＣＰＵ３０は、ＲＡＭ３２にアクセスして、紙幣束を生成すべき紙幣の金種および枚数を特定する生成すべき紙幣束に関するデータならびに金融機関名、支店名、紙幣処理機のＩＤデータ、オペレータの名前を特定する帯封処理に関するデータをＲＡＭ３２から読み出す。
【００５７】
ここに、ＲＡＭ３２に書き込まれたデータは、紙幣処理機の電源がオフされると、失われ、紙幣処理機の電源がオンされた直後には、ＲＡＭ３２に、紙幣束に関するデータおよび帯封処理に関するデータは書き込まれてはいないから、ＣＰＵ３０は、紙幣束を生成すべき紙幣の金種および枚数を指定すべき旨ならびに紙幣束に結束テープＴが巻回されたときに、結束テープＴに一体的に形成されたインレット内のＩＣチップに書き込むべき帯封処理に関するデータを入力すべき旨のメッセージを、操作パネル５に設けられたディスプレイ５ｂに表示する。
【００５８】
ディスプレイ５ｂに表示されたメッセージに対して、オペレータが、操作パネル５に設けられたキーボード５ａに、紙幣束を生成すべき紙幣の金種および枚数を特定する生成すべき紙幣束に関するデータならびに金融機関名、支店名、紙幣処理機のＩＤデータ、オペレータの名前を特定する帯封処理に関するデータを入力すると、キーボード５ａに入力された生成すべき紙幣束に関するデータおよび帯封処理に関するデータがＣＰＵ３０に出力される。
【００５９】
ＣＰＵ３０は、キーボード５ａから、生成すべき紙幣束に関するデータおよび帯封処理に関するデータを受けると、生成すべき紙幣束に関するデータおよび帯封処理に関するデータをＲＡＭ３２に書き込むとともに、シャッタソレノイド４０に駆動信号を出力して、内部シャッタ１１を閉じさせる。
【００６０】
同時に、ＣＰＵ３０は、ＲＦＩＤリーダー２０に駆動信号を出力して、所定の周波数、たとえば、マイクロ波帯の電波を発信させる。
【００６１】
その結果、ＲＦＩＤリーダー２０から発信された電波が、紙幣束生成部１０に集積された各紙幣に一体的に形成されたインレットのアンテナによって受信され、各紙幣に一体的に形成されたインレット内のＩＣチップに書き込まれた紙幣のＩＤデータ、紙幣の金種データなどのＲＦＩＤデータが、ＲＦＩＤリーダー２０によって読み取られる。
【００６２】
上述のように、紙幣束生成部１０の壁部は、ＲＦＩＤリーダー２０から発信される周波数の電波を遮蔽可能な材料によって形成され、内部シャッタ１１が、金属によって形成されているため、ＲＦＩＤリーダー２０から発信された電波が、紙幣束生成部１０外に漏れ出ることが効果的に防止され、したがって、ＲＦＩＤリーダー２０から発信された電波が、紙幣処理機外の紙幣に形成されたインレット内のアンテナによって受信されて、紙幣処理機外の紙幣に形成されたインレット内のＩＣチップに書き込まれたＲＦＩＤデータが、ＲＦＩＤリーダー２０によって読み取られることを確実に防止することができる。
【００６３】
こうして、読み取られたＲＦＩＤデータは、ＲＦＩＤリーダー２０からＣＰＵ３０に出力されて、ＲＡＭ３２に書き込まれる。
【００６４】
次いで、ＣＰＵ３０は、ＲＡＭ３２に書き込まれた生成すべき紙幣束に関するデータと、ＲＦＩＤリーダー２０によって読み取られた各紙幣の金種データとを比較し、紙幣束生成部１０にセットされた集積紙幣に含まれるすべての紙幣の金種が、オペレータによって指定された紙幣束を生成すべき紙幣の金種と一致するか否かを判定する。
【００６５】
その結果、紙幣束生成部１０にセットされた集積紙幣に、オペレータによって指定された紙幣束を生成すべき紙幣の金種と一致しない金種の紙幣および／または偽造紙幣、外国紙幣などの受け入れ不能な紙幣が含まれていると判定したときは、ＣＰＵ３０は、紙幣束生成部１０にセットされた集積紙幣に、紙幣束を生成すべき紙幣の金種と一致しない金種の紙幣および／または受け入れ不能な紙幣が含まれていた旨と、一致していない紙幣の金種および枚数ならびに／または受け入れ不能な紙幣の枚数を、操作パネル５に設けられたディスプレイ５ｂに表示するとともに、紙幣束の生成処理を続行するか、あるいは、紙幣束の生成処理を停止するかをオペレータに問い合わせるメッセージをディスプレイ５ｂに表示する。
【００６６】
同時に、ＣＰＵ３０は、アラーム手段５０にアラーム信号を出力して、スピーカー６からアラームを発せさせる。
【００６７】
ディスプレイ５ｂに表示された紙幣束の生成処理を続行するか、あるいは、紙幣束の生成処理を停止するかをオペレータに問い合わせるメッセージおよびスピーカー６から発せられたアラームに対して、紙幣束の生成処理を停止することを選択するときは、オペレータによって、操作パネル５に設けられたキーボード５ａに、紙幣束生成処理停止信号が入力され、紙幣束生成処理停止信号は、キーボード５ａから、ＣＰＵ３０に出力される。
紙幣束生成処理停止信号を受けると、ＣＰＵ３０は、シャッタソレノイド４０に駆動停止信号を出力して、内部シャッタ１１を開放させる。したがって、オペレータは、紙幣束生成部１０にセットした紙幣を取り出すことができる。
【００６８】
紙幣束の生成処理を停止した後に、取り出した集積紙幣の金種を確認し、紙幣を差し替えた上で、紙幣束の生成処理を再開するときは、オペレータによって、再度、集積紙幣が紙幣束生成部１０にセットされ、スタート信号が、操作パネル５に設けられたキーボード５ａに入力される。
【００６９】
スタート信号はＣＰＵ３０に出力され、スタート信号を受けると、ＣＰＵ３０は、ＲＡＭ３２にアクセスして、紙幣束を生成すべき紙幣の金種および枚数を特定する生成すべき紙幣束に関するデータならびに金融機関名、支店名、紙幣処理機のＩＤデータ、オペレータの名前を特定する帯封処理に関するデータを、ＲＡＭ３２から読み出す。
この時点では、ＲＡＭ３２に、紙幣束に関するデータおよび帯封処理に関するデータが書き込まれているから、ＣＰＵ３０は、ＲＡＭ３２に書き込まれた紙幣束に関するデータおよび帯封処理に関するデータを読み出して、操作パネル５に設けられたディスプレイ５ｂに、ＲＡＭ３２から読み出した紙幣束を生成すべき紙幣の金種および枚数ならびに金融機関名、支店名、紙幣処理機のＩＤデータ、オペレータの名前を表示するとともに、これらのデータに基づいて、紙幣束の生成処理を実行してもよいかどうかを、オペレータに問い合わせるメッセージをディスプレイ５ｂに表示する。
ディスプレイ５ｂに表示されたデータに基づいて、紙幣束の生成処理を実行する場合には、オペレータによって、紙幣束生成指示信号が、操作パネル５に設けられたキーボード５ａに入力され、一方、紙幣束に関するデータおよび帯封処理に関するデータのすべてあるいは一部を変更して、紙幣束を生成する場合には、オペレータによって、新たに、紙幣束に関するデータおよび帯封処理に関するデータが、キーボード５ａに入力される。キーボード５ａに入力された新たに、紙幣束に関するデータおよび帯封処理に関するデータは、ＣＰＵ３０に出力され、ＣＰＵ３０によって、ＲＡＭ３２に書き込まれた紙幣束に関するデータおよび帯封処理に関するデータが、新たに入力された紙幣束に関するデータおよび帯封処理に関するデータによって、上書きされる。
この場合には、紙幣束生成部１０にセットされた集積紙幣に、紙幣束を生成すべきでない金種の紙幣および／または受け入れ不能な紙幣が含まれていたために、一部の紙幣が差し替えられているに過ぎず、紙幣束に関するデータおよび帯封処理に関するデータを変更する必要がないから、オペレータによって、キーボード５ａに、紙幣束生成指示信号が入力される。
紙幣束生成指示信号はＣＰＵ３０に出力され、紙幣束生成指示信号を受けると、ＣＰＵ３０は、シャッタソレノイド４０に駆動信号を出力して、内部シャッタ１１を閉じさせるとともに、ＲＦＩＤリーダー２０に駆動信号を出力して、所定の周波数、たとえば、マイクロ波帯の電波を発信させ、ＲＦＩＤリーダー２０によって読み取られたＲＦＩＤデータを、ＲＡＭ３２に書き込む。
その後は、紙幣束生成部１０に、集積紙幣が、新たにセットされたときと同様の処理が実行される。
一方、ディスプレイ５ｂに表示された紙幣束の生成処理を続行するか、あるいは、紙幣束の生成処理を停止するかをオペレータに問い合わせるメッセージおよびスピーカー６から発せられたアラームに対して、オペレータが、集積紙幣に、自らが指定した金種と異なる金種の紙幣が含まれていたにもかかわらず、紙幣束の生成を望むときは、オペレータによって、操作パネル５に設けられたキーボード５ａに、紙幣束生成処理続行信号が入力される。
キーボード５ａに入力された紙幣束生成処理続行信号は、ＣＰＵ３０に出力され、紙幣束生成処理続行信号を受けると、ＣＰＵ３０は、再び、紙幣束を生成すべき紙幣の金種と一致しない金種の紙幣および／または受け入れ不能な紙幣が含まれていた旨と、一致していない紙幣の金種および枚数ならびに／または受け入れ不能な紙幣の枚数を、操作パネル５に設けられたディスプレイ５ｂに表示するとともに、紙幣束の生成処理を続行してよいか否かの確認をオペレータに求めるメッセージをディスプレイ５ｂに表示する。
【００７０】
同時に、ＣＰＵ３０は、アラーム手段５０にアラーム信号を出力して、スピーカー６からアラームを発せさせる。
ディスプレイ５ｂに表示されたメッセージおよびスピーカー６から発せられたアラームに対して、オペレータが、紙幣束の生成処理を停止することを選択するときは、操作パネル５に設けられたキーボード５ａに、紙幣束生成停止信号が入力される。
紙幣束生成停止信号は、キーボード５ａから、ＣＰＵ３０に出力され、その後は、紙幣束生成部１０にセットされた集積紙幣に、オペレータによって指定された紙幣束を生成すべき紙幣の金種と一致しない金種の紙幣および／または受け入れ不能な紙幣が含まれていた旨のメッセージならびに紙幣束の生成処理を続行するか、あるいは、紙幣束の生成処理を停止するかをオペレータに問い合わせるメッセージが、ディスプレイ５ｂに表示され、同時に、スピーカー６から、アラームが発せられた場合に、オペレータが、キーボード５ａに、紙幣束生成停止信号を入力したときと同様の処理が実行される。
これに対して、オペレータが、集積紙幣に、自らが指定した金種と異なる金種の紙幣が含まれていたにもかかわらず、紙幣束の生成を望むときは、オペレータによって、紙幣束の生成処理を続行する旨の紙幣束生成処理続行確認信号が、操作パネル５に設けられたキーボード５ａに入力される。
キーボード５ａに入力された紙幣束生成処理続行確認信号は、ＣＰＵ３０に出力され、紙幣束生成処理続行確認信号を受けると、ＣＰＵ３０は、モータ４１に駆動信号を出力して、一対の挟持部材１５ａ、１５ｂを互いに近接するように移動させ、紙幣束生成部１０内にセットされた集積紙幣を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【００７１】
次いで、ＣＰＵ３０は、ＲＡＭ３２に書き込まれた集積紙幣に含まれた各紙幣のＩＤデータ、紙幣の金種データなどの紙幣束を構成する紙幣に関するＲＦＩＤデータならびにオペレータによって入力された帯封処理に関するデータを読み出すとともに、ＲＯＭ３１から、紙幣処理機のＩＤデータを読み出し、さらに、時計３３から計時データを読み出して、駆動信号とともに、ＲＦＩＤライター駆動手段４４に出力する。
【００７２】
同時に、ＣＰＵ３０は、生成される紙幣束に、指定した金種の紙幣と金種が異なる紙幣が含まれている旨の情報を、ＲＦＩＤライター駆動手段４４に出力する。
【００７３】
その結果、ＲＦＩＤライター２５が駆動され、結束テープＴに一体的に形成されているインレット内のＩＣチップ（図示せず）に、紙幣束を構成する紙幣の金種データ、ＩＤデータなどの紙幣束を構成する紙幣に関するＲＦＩＤデータ、紙幣束を構成する紙幣の金種、枚数、金融機関名、支店名、紙幣処理機のＩＤデータ、オペレータの名前および帯封処理を実行した日時などの帯封処理に関するＲＦＩＤデータならびに紙幣束に、指定した金種の紙幣と金種が異なる紙幣が含まれている旨のＲＦＩＤデータが書き込まれる。
【００７４】
ここに、紙幣束生成部１０の壁部は、ＲＦＩＤリーダー２０から発信される周波数の電波を遮蔽可能で、かつ、ＲＦＩＤライター２５から発信される周波数の電波を遮蔽可能な材料によって形成され、内部シャッタ１１が、金属によって形成されているから、ＲＦＩＤライター２５から発信された電波が、紙幣束生成部１０外に漏れ出て、紙幣処理機外に存在する紙幣や結束テープＴに形成されたインレット内のＩＣチップに、ＲＦＩＤデータが書き込まれることが確実に防止され、一方、紙幣束生成部１０の開口部１０ａが十分に狭幅に形成されているから、ＲＦＩＤライター２５から発信された電波が、紙幣束生成部１０の開口部１０ａを介して、紙幣束生成部１０外に漏れ出て、紙幣束生成部１０外に位置する結束テープＴに形成されたインレット内のＩＣチップに、ＲＦＩＤデータが書き込まれることが効果的に防止される。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされた集積紙幣に向けて送られ、結束テープＴが集積紙幣に送られると、ＣＰＵ３０は、巻き付けモータ４６に駆動信号を出力して、巻き付け部材４５を駆動し、一対の挟持部材１５ａ、１５ｂによって挟持された集積紙幣の略中央部に、結束テープＴを巻回させる。
【００７５】
所定の長さの結束テープＴが集積紙幣に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの端部を接着させる。
【００７６】
こうして、一対の挟持部材１５ａ、１５ｂによって挟持された集積紙幣に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【００７７】
次いで、ＣＰＵ３０は、操作パネル５に設けられたディスプレイ５ｂに、紙幣束の生成が完了した旨のメッセージと、紙幣束を生成した紙幣の金種および枚数を表示するとともに、シャッタソレノイド４０に駆動停止信号を出力して、内部シャッタ１１を開放させる。
【００７８】
したがって、オペレータは、外部シャッタ２を開いて、紙幣束生成部１０内で生成された紙幣束を、紙幣処理機から取り出すことができる。
これに対して、紙幣束生成部１０にセットされた集積紙幣に含まれたすべての紙幣の金種が、オペレータによって指定された紙幣束を生成すべき紙幣の金種と一致すると判定したときは、ＣＰＵ３０は、さらに、ＲＦＩＤリーダー２０によって読み取られた紙幣のＲＦＩＤデータに基づいて、紙幣束生成部１０にセットされた紙幣の枚数を算出して、ＲＡＭ３２に書き込まれた生成すべき紙幣束に関するデータと比較し、紙幣束生成部１０にセットされている紙幣の枚数が、オペレータによって指定された紙幣の枚数と一致するか否かを判定する。
【００７９】
その結果、紙幣束生成部１０にセットされている紙幣の枚数が、オペレータによって指定された紙幣の枚数に満たないと判定したとき、あるいは、オペレータによって指定された紙幣の枚数を越えていると判定したときは、ＣＰＵ３０は、その旨と、不足している紙幣の枚数あるいは超過している紙幣の枚数とを、操作パネル５に設けられたディスプレイ５ｂに表示するとともに、紙幣束の生成処理を続行するか、あるいは、紙幣束の生成処理を停止するかをオペレータに問い合わせるメッセージをディスプレイ５ｂに表示する。
【００８０】
同時に、ＣＰＵ３０は、アラーム手段５０にアラーム信号を出力して、スピーカー６からアラームを発せさせる。
【００８１】
ディスプレイ５ｂに表示された紙幣束の生成処理を続行するか、あるいは、紙幣束の生成処理を停止するかをオペレータに問い合わせるメッセージおよびスピーカー６から発せられたアラームに対して、オペレータが、紙幣束の生成処理を停止することを選択するときは、操作パネル５に設けられたキーボード５ａに、紙幣束生成処理停止信号が入力され、紙幣束生成処理停止信号は、キーボード５ａから、ＣＰＵ３０に出力される。
紙幣束生成処理停止信号を受けると、ＣＰＵ３０は、シャッタソレノイド４０に逆駆動信号を出力して、内部シャッタ１１を開放させる。したがって、オペレータは、紙幣束生成部１０にセットした紙幣を取り出すことができる。
【００８２】
紙幣束の生成処理を停止した後に、取り出した集積紙幣に、不足している枚数の紙幣を追加し、あるいは、取り出した集積紙幣から、超過している枚数の紙幣を取り去った上で、紙幣束の生成処理を再開するときは、オペレータによって、再度、集積紙幣が紙幣束生成部１０にセットされ、スタート信号が、操作パネル５に設けられたキーボード５ａに入力される。
【００８３】
スタート信号はＣＰＵ３０に出力され、スタート信号を受けると、ＣＰＵ３０は、ＲＡＭ３２にアクセスして、紙幣束を生成すべき紙幣の金種および枚数を特定する生成すべき紙幣束に関するデータならびに金融機関名、支店名、紙幣処理機のＩＤデータ、オペレータの名前を特定する帯封処理に関するデータを、ＲＡＭ３２から読み出す。
この時点では、ＲＡＭ３２に、紙幣束に関するデータおよび帯封処理に関するデータが書き込まれているから、ＣＰＵ３０は、ＲＡＭ３２に書き込まれた紙幣束に関するデータおよび帯封処理に関するデータを読み出して、操作パネル５に設けられたディスプレイ５ｂに、ＲＡＭ３２から読み出した紙幣束を生成すべき紙幣の金種および枚数ならびに金融機関名、支店名、紙幣処理機のＩＤデータ、オペレータの名前を表示するとともに、これらのデータに基づいて、紙幣束の生成処理を実行してもよいかどうかを、オペレータに問い合わせるメッセージをディスプレイ５ｂに表示する。
ディスプレイ５ｂに表示されたデータに基づいて、紙幣束の生成処理を実行する場合には、オペレータによって、紙幣束生成指示信号が、操作パネル５に設けられたキーボード５ａに入力され、一方、紙幣束に関するデータおよび帯封処理に関するデータのすべてあるいは一部を変更して、紙幣束を生成する場合には、オペレータによって、新たに、紙幣束に関するデータおよび帯封処理に関するデータが、キーボード５ａに入力される。キーボード５ａに入力された新たに、紙幣束に関するデータおよび帯封処理に関するデータは、ＣＰＵ３０に出力され、ＣＰＵ３０によって、ＲＡＭ３２に書き込まれた紙幣束に関するデータおよび帯封処理に関するデータが、新たに入力された紙幣束に関するデータおよび帯封処理に関するデータによって、上書きされる。
この場合には、紙幣束生成部１０にセットされた集積紙幣の枚数が、オペレータによって指定された紙幣の枚数に満たないか、あるいは、オペレータによって指定された紙幣の枚数を越えていたため、取り出した集積紙幣に、不足している枚数の紙幣を追加し、あるいは、取り出した集積紙幣から、超過している枚数の紙幣を取り去ったに過ぎず、紙幣束に関するデータおよび帯封処理に関するデータを変更する必要がないから、オペレータによって、キーボード５ａに、紙幣束生成指示信号が入力される。
紙幣束生成指示信号はＣＰＵ３０に出力され、紙幣束生成指示信号を受けると、ＣＰＵ３０は、シャッタソレノイド４０に駆動信号を出力して、内部シャッタ１１を閉じさせるとともに、ＲＦＩＤリーダー２０に駆動信号を出力して、所定の周波数、たとえば、マイクロ波帯の電波を発信させ、ＲＦＩＤリーダー２０によって読み取られたＲＦＩＤデータを、ＲＡＭ３２に書き込む。
その後は、紙幣束生成部１０に、集積紙幣が、新たにセットされたときと同様に処理が実行されて、紙幣束が生成される。
一方、ディスプレイ５ｂに表示された紙幣束の生成処理を続行するか、あるいは、紙幣束の生成処理を停止するかをオペレータに問い合わせるメッセージおよびスピーカー６から発せられたアラームに対して、オペレータが、集積紙幣の枚数が、オペレータによって指定された紙幣の枚数に満たず、あるいは、オペレータによって指定された紙幣の枚数を越えているにもかかわらず、紙幣束の生成を望むときは、オペレータによって、操作パネル５に設けられたキーボード５ａに、紙幣束生成処理続行信号が入力される。
キーボード５ａに入力された紙幣束生成処理続行信号は、ＣＰＵ３０に出力され、紙幣束生成処理続行信号を受けると、ＣＰＵ３０は、再び、紙幣束生成部１０にセットされている紙幣の枚数が、オペレータによって指定された紙幣の枚数に満たないか、あるいは、オペレータによって指定された紙幣の枚数を越えている旨と、不足している紙幣の枚数あるいは超過している紙幣の枚数とを、操作パネル５に設けられたディスプレイ５ｂに表示するとともに、紙幣束の生成処理を続行してよいか否かの確認をオペレータに求めるメッセージをディスプレイ５ｂに表示する。
【００８４】
同時に、ＣＰＵ３０は、アラーム手段５０にアラーム信号を出力して、スピーカー６からアラームを発せさせる。
ディスプレイ５ｂに表示されたメッセージおよびスピーカー６から発せられたアラームに対して、オペレータが、紙幣束の生成処理を停止することを選択するときは、操作パネル５に設けられたキーボード５ａに、紙幣束生成停止信号が入力される。
紙幣束生成停止信号は、キーボード５ａから、ＣＰＵ３０に出力され、その後は、紙幣束生成部１０にセットされた集積紙幣の枚数が、オペレータによって指定された紙幣の枚数に満たないか、あるいは、オペレータによって指定された紙幣の枚数を越えている旨のメッセージならびに紙幣束の生成処理を続行するか、あるいは、紙幣束の生成処理を停止するかをオペレータに問い合わせるメッセージが、ディスプレイ５ｂに表示され、同時に、スピーカー６から、アラームが発せられた場合に、オペレータが、キーボード５ａに、紙幣束生成停止信号を入力したときと同様の処理が実行される。
これに対して、オペレータが、集積紙幣の枚数が、自らが指定した紙幣の枚数と一致していないにもかかわらず、紙幣束の生成を望むときは、オペレータによって、紙幣束の生成処理を続行する旨の紙幣束生成処理続行確認信号が、操作パネル５に設けられたキーボード５ａに入力される。
キーボード５ａに入力された紙幣束生成処理続行確認信号は、ＣＰＵ３０に出力され、紙幣束生成処理続行確認信号を受けると、ＣＰＵ３０は、モータ４１に駆動信号を出力して、一対の挟持部材１５ａ、１５ｂを互いに近接するように移動させ、紙幣束生成部１０内にセットされた集積紙幣を挟持させる。
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【００８５】
次いで、ＣＰＵ３０は、ＲＡＭ３２に書き込まれた集積紙幣に含まれた各紙幣のＩＤデータ、紙幣の金種データなどの紙幣束を構成する紙幣に関するＲＦＩＤデータならびにオペレータによって入力された帯封処理に関するデータを読み出すとともに、ＲＯＭ３１から、紙幣処理機のＩＤデータを読み出し、さらに、時計３３から計時データを読み出して、駆動信号とともに、ＲＦＩＤライター駆動手段４４に出力する。
【００８６】
同時に、ＣＰＵ３０は、生成される紙幣束に、指定した金種の紙幣と金種が異なる紙幣が含まれている旨の情報を、ＲＦＩＤライター駆動手段４４に出力する。
【００８７】
その結果、ＲＦＩＤライター２５が駆動され、集積紙幣に巻回された結束テープＴに一体的に形成されているインレット内のＩＣチップ（図示せず）に、紙幣束を構成する紙幣の金種データ、ＩＤデータなどの紙幣束を構成する紙幣に関するＲＦＩＤデータ、紙幣束を構成する紙幣の金種、枚数、金融機関名、支店名、紙幣処理機のＩＤデータ、オペレータの名前および帯封処理を実行した日時などの帯封処理に関するＲＦＩＤデータならびに紙幣束に含まれる紙幣の枚数が、紙幣束に含まれるべき枚数より少ない旨の情報あるいは生成される紙幣束に含まれる紙幣の枚数が、紙幣束に含まれるべき枚数より多い旨のＲＦＩＤデータが書き込まれる。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされた集積紙幣に向けて送られ、結束テープＴが集積紙幣に送られると、ＣＰＵ３０は、巻き付けモータ４６に駆動信号を出力して、巻き付け部材４５を駆動し、一対の挟持部材１５ａ、１５ｂによって挟持された集積紙幣の略中央部に、結束テープＴを巻回させる。
【００８８】
所定の長さの結束テープＴが集積紙幣に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの端部を接着させる。
【００８９】
こうして、一対の挟持部材１５ａ、１５ｂによって挟持された集積紙幣に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【００９０】
次いで、ＣＰＵ３０は、操作パネル５に設けられたディスプレイ５ｂに、紙幣束の生成が完了した旨のメッセージと、紙幣束を生成した紙幣の金種および枚数を表示するとともに、シャッタソレノイド４０に駆動停止信号を出力して、内部シャッタ１１を開放させる。
したがって、オペレータは、外部シャッタ２を開いて、紙幣束生成部１０内で生成された紙幣束を、紙幣処理機から取り出すことができる。
【００９１】
ここに、紙幣束の生成処理を続行するか、あるいは、紙幣束の生成処理を停止するかをオペレータに問い合わせるメッセージをディスプレイ５ｂに表示し、スピーカー６から、アラームを発したにもかかわらず、第一の所定時間が経過しても、紙幣束生成処理停止信号または紙幣束生成処理続行信号が入力されず、紙幣センサ３５から、集積紙幣検出信号が入力されているときは、ＣＰＵ３０は、再度、紙幣束の生成処理を続行するか、あるいは、紙幣束の生成処理を停止するかをオペレータに問い合わせるメッセージをディスプレイ５ｂに表示するとともに、スピーカー６から、アラームを発し、さらに、再度、紙幣束の生成処理を続行するか、あるいは、紙幣束の生成処理を停止するかをオペレータに問い合わせるメッセージをディスプレイ５ｂに表示し、スピーカー６から、アラームを発したにもかかわらず、紙幣束生成処理停止信号または紙幣束生成処理続行信号が入力されず、紙幣センサ３５から、集積紙幣検出信号が入力され続けたまま、第二の所定時間が経過したときは、ＣＰＵ３０は、紙幣束の生成処理を停止する旨のメッセージをディスプレイ５ｂに表示するとともに、スピーカー６から、アラームを発し、同時に、シャッタソレノイド４０に駆動停止信号を出力して、内部シャッタ１１を開放させるように構成されている。
【００９２】
また、再び、紙幣束を生成すべき紙幣の金種と一致しない金種の紙幣および／または受け入れ不能な紙幣が含まれていた旨と、一致していない紙幣の金種および枚数ならびに／または受け入れ不能な紙幣の枚数を、操作パネル５に設けられたディスプレイ５ｂに表示し、紙幣束の生成処理を続行してよいか否かの確認をオペレータに求めるメッセージをディスプレイ５ｂに表示するとともに、スピーカー６から、アラームを発したにもかかわらず、あるいは、紙幣束生成部１０にセットされている紙幣の枚数が、オペレータによって指定された紙幣の枚数に満たないか、あるいは、オペレータによって指定された紙幣の枚数を越えている旨と、不足している紙幣の枚数あるいは超過している紙幣の枚数とを、再び、操作パネル５に設けられたディスプレイ５ｂに表示し、紙幣束の生成処理を続行してよいか否かの確認をオペレータに求めるメッセージをディスプレイ５ｂに表示するとともに、スピーカー６から、アラームを発したにもかかわらず、紙幣束生成停止信号または紙幣束生成処理続行確認信号が入力されず、紙幣センサ３５から、集積紙幣検出信号が入力されたまま、第三の所定時間が経過したときは、ＣＰＵ３０は、再び、紙幣束を生成すべき紙幣の金種と一致しない金種の紙幣および／または受け入れ不能な紙幣が含まれていた旨と、一致していない紙幣の金種および枚数ならびに／または受け入れ不能な紙幣の枚数を、操作パネル５に設けられたディスプレイ５ｂに表示し、紙幣束の生成処理を続行してよいか否かの確認をオペレータに求めるメッセージをディスプレイ５ｂに表示するとともに、スピーカー６から、アラームを発し、あるいは、再び、紙幣束生成部１０にセットされている紙幣の枚数が、オペレータによって指定された紙幣の枚数に満たないか、あるいは、オペレータによって指定された紙幣の枚数を越えている旨と、不足している紙幣の枚数あるいは超過している紙幣の枚数とを、操作パネル５に設けられたディスプレイ５ｂに表示し、紙幣束の生成処理を続行してよいか否かの確認をオペレータに求めるメッセージをディスプレイ５ｂに表示するとともに、スピーカー６から、アラームを発し、紙幣束の生成処理を続行してよいか否かの確認を求めるメッセージをディスプレイ５ｂに表示し、スピーカー６から、アラームを発したにもかかわらず、紙幣束生成停止信号または紙幣束生成処理続行確認信号が入力されず、紙幣センサ３５から、集積紙幣検出信号が入力されないまま、第四の所定時間が経過したときは、ＣＰＵ３０は、紙幣束の生成処理を停止する旨のメッセージをディスプレイ５ｂに表示するとともに、スピーカー６から、アラームを発し、同時に、シャッタソレノイド４０に駆動停止信号を出力して、内部シャッタ１１を開放させるように構成されている。
【００９３】
これに対して、紙幣束生成部１０にセットされている紙幣の枚数が、オペレータによって指定された紙幣の枚数に一致していると判定したときは、ＣＰＵ３０は、モータ４１に駆動信号を出力して、一対の挟持部材１５ａ、１５ｂを互いに近接するように移動させ、紙幣束生成部１０内にセットされた集積紙幣を挟持させる。
【００９４】
さらに、ＣＰＵ３０は、モータ４２に駆動信号を出力して、結束テープ供給部材１６を駆動し、ＩＣチップとアンテナを含むインレット（図示せず）が、所定の間隔で、一体的に形成された結束テープＴを紙幣束生成部１０に供給させる。
【００９５】
次いで、ＣＰＵ３０は、ＲＡＭ３２に書き込まれた集積紙幣に含まれた各紙幣のＩＤデータ、紙幣の金種データなどの紙幣束を構成する紙幣に関するＲＦＩＤデータならびにオペレータによって入力された帯封処理に関するデータを読み出すとともに、ＲＯＭ３１から、紙幣処理機のＩＤデータを読み出し、さらに、時計３３から計時データを読み出して、駆動信号とともに、ＲＦＩＤライター駆動手段４４に出力する。
【００９６】
同時に、ＣＰＵ３０は、生成される紙幣束に、指定した金種の紙幣と金種が異なる紙幣が含まれている旨の情報を、ＲＦＩＤライター駆動手段４４に出力する。
【００９７】
その結果、ＲＦＩＤライター２５が駆動され、集積紙幣に巻回された結束テープＴに一体的に形成されているインレット内のＩＣチップ（図示せず）に、紙幣束を構成する紙幣の金種データ、ＩＤデータなどの紙幣束を構成する紙幣に関するＲＦＩＤデータならびに紙幣束を構成する紙幣の金種、枚数、金融機関名、支店名、紙幣処理機のＩＤデータ、オペレータの名前および帯封処理を実行した日時などの帯封処理に関するＲＦＩＤデータが書き込まれる。
インレット内のＩＣチップに、紙幣束を構成する紙幣に関するＲＦＩＤデータおよび帯封処理に関するＲＦＩＤデータが書き込まれた結束テープＴは、紙幣束生成部１０内にセットされた集積紙幣に向けて送られ、結束テープＴが集積紙幣に送られると、ＣＰＵ３０は、巻き付けモータ４６に駆動信号を出力し、巻き付け部材４５を駆動し、一対の挟持部材１５ａ、１５ｂによって挟持された集積紙幣の略中央部に、結束テープＴを巻回させる。
【００９８】
所定の長さの結束テープＴが集積紙幣に巻回されたと判定されると、ＣＰＵ３０は、モータ４２に駆動停止信号を出力して、結束テープ供給部材１６の駆動を停止させるとともに、カッタソレノイド４３に駆動信号を出力し、カッタ１７を駆動して、結束テープＴを切断させ、さらに、接着モータ４８に駆動信号を出力して、接着手段４７を駆動し、カッタ１７によって切断された結束テープＴの端部を接着させる。
【００９９】
こうして、一対の挟持部材１５ａ、１５ｂによって挟持された集積紙幣に、結束テープＴが巻回されて、紙幣束が生成されると、ＣＰＵ３０は、モータ４１に逆駆動信号を出力して、一対の挟持部材１５ａ、１５ｂを互いに離間させ、一対の挟持部材１５ａ、１５ｂによって挟持されていた紙幣束を解放させる。
【０１００】
したがって、オペレータは、外部シャッタ２を開いて、紙幣束生成部１０内で生成された紙幣束を、紙幣処理機から取り出すことができる。
【０１０１】
本実施態様によれば、紙幣束の生成に先立って、ＲＦＩＤリーダー２０によって、紙幣に一体的に形成されたインレット中のＩＣカードに書き込まれている紙幣のＩＤデータ、紙幣の金種データなどのＲＦＩＤデータが読み取られ、ＲＦＩＤリーダー２０によって読み取られた紙幣のＲＦＩＤデータに基づいて、紙幣束生成部１０にセットされた集積紙幣に含まれているすべての紙幣の金種が、オペレータによって指定された紙幣束を生成すべき紙幣の金種と一致しているか否か、および、紙幣束生成部１０にセットされた集積紙幣に含まれている紙幣の枚数が、オペレータによって指定された紙幣束を生成すべき紙幣の枚数と一致しているか否かが判定された上で、紙幣束が生成されているから、紙幣束に、所定枚数の同一金種の紙幣のみが含まれていることが保証され、したがって、改めて、紙幣束に含まれる紙幣の金種を、紙幣判別器によって判別したり、紙幣束に含まれている紙幣を数え直す必要がないから、生成された紙幣束を所望のように管理することが可能になる。
【０１０２】
また、本実施態様によれば、ＲＦＩＤライター２５によって、紙幣束に巻回された結束テープＴに一体的に形成されているインレット内のＩＣチップ（図示せず）に、紙幣束を構成する紙幣の金種データ、ＩＤデータなどの紙幣束を構成する紙幣に関するＲＦＩＤデータならびに紙幣束を構成する紙幣の金種、枚数、金融機関名、支店名、紙幣処理機のＩＤデータ、オペレータの名前および帯封処理を実行した日時などの帯封処理に関するＲＦＩＤデータが書き込まれるから、ＲＦＩＤリーダー２０によって、紙幣束に巻回された結束テープＴに一体的に形成されているインレット内のＩＣチップに書き込まれたＲＦＩＤデータを読み取ることによって、紙幣束が、紙幣束を作成する権限を有する機関によって真正に生成されたものか否かを容易に判別することができ、したがって、生成された紙幣束を所望のように管理することが可能になる。
【０１０３】
さらに、本実施態様によれば、紙幣の金種データ、ＩＤデータなどの紙幣束を構成する紙幣に関するデータならびに紙幣束を構成する紙幣の金種、枚数、金融機関名、支店名、紙幣処理機のＩＤデータ、オペレータの名前および帯封処理を実行した日時などの帯封処理に関するデータは、ＲＦＩＤデータの形で、紙幣束に巻回された結束テープＴに一体的に形成されているインレット内のＩＣチップに書き込まれるように構成されているから、紙幣束の生成後に改ざんされるおそれはなく、したがって、生成された紙幣束を所望のように管理することが可能になる。
【０１０４】
また、本実施態様によれば、紙幣束生成部１０にセットされた集積紙幣に、オペレータによって指定された紙幣束を生成すべき紙幣の金種と異なる金種の紙幣および／または偽造紙幣や外国紙幣などの受け入れ不能な紙幣が含まれていた場合に、オペレータによって指定された紙幣束を生成すべき紙幣の金種と一致していない紙幣の金種および枚数ならびに／または受け入れ不能な紙幣の枚数が、操作パネル５のディスプレイ５ａに表示されるように、構成されているから、オペレータは、容易に、指定した紙幣束を生成すべき紙幣の金種と異なる金種の紙幣を、指定した紙幣束を生成すべき金種の紙幣と差し替えて、紙幣束の生成処理を続行することができ、紙幣処理機の処理効率を向上させることが可能になる。
【０１０５】
さらに、本実施態様によれば、紙幣束生成部１０にセットされた集積紙幣の枚数が、オペレータによって指定された紙幣の枚数に満たないとき、あるいは、集積紙幣の枚数が、オペレータによって指定された紙幣の枚数を越えているとき、その旨と、不足している紙幣の枚数あるいは超過している紙幣の枚数とが、操作パネル５に設けられたディスプレイ５ｂに表示されるように構成されているから、オペレータは、容易に、不足している枚数の紙幣を追加し、あるいは、取り出した集積紙幣から、超過している枚数の紙幣を取り去って、紙幣束の生成処理を続行することができ、紙幣処理機の処理効率を向上させることが可能になる。
【０１０６】
また、本実施態様によれば、紙幣束を生成すべき紙幣が集積される紙幣束生成部１０が、紙幣処理機の外部からアクセス可能に設けられ、集積紙幣が、紙幣束生成部１０にセットされた状態で、集積紙幣に結束テープＴが巻回されて、紙幣束が生成されるように構成されているから、紙幣や集積紙幣を搬送するための搬送機構を設ける必要がなく、したがって、紙幣処理機の機械的構成を大幅に簡略化することが可能になる。
【０１０７】
さらに、本実施態様によれば、紙幣束生成部１０にセットされた集積紙幣に、オペレータによって指定された紙幣束を生成すべき紙幣の金種と異なる金種の紙幣および／または偽造紙幣や外国紙幣などの受け入れ不能な紙幣が含まれていた場合においても、所望により、紙幣束生成部１０にセットされた集積紙幣に、結束テープＴを巻回して、紙幣束を生成することができ、こうして紙幣束を生成したときには、結束テープＴに一体的に形成されたインレット内のＩＣチップに、紙幣束に、オペレータが指定した金種とは異なる金種の紙幣および／または受け入れ不能な紙幣が含まれている旨のデータが書き込まれるように構成され、また、紙幣束生成部１０にセットされた集積紙幣の枚数が、オペレータによって指定された紙幣の枚数に満たない場合、あるいは、集積紙幣の枚数が、オペレータによって指定された紙幣の枚数を越えている場合においても、所望により、紙幣束生成部１０にセットされた集積紙幣に、結束テープＴを巻回して、紙幣束を生成することができ、こうして紙幣束を生成したときには、結束テープＴに一体的に形成されたインレット内のＩＣチップに、紙幣束に含まれている紙幣の枚数が、オペレータが指定した枚数より少ない旨あるいは紙幣束に含まれている紙幣の枚数が、オペレータが指定した枚数より多い旨のデータが書き込まれるように構成されているから、紙幣束を生成すべきでない場合にも、紙幣が散逸することを効果的に防止して、紙幣を管理することができ、したがって、紙幣処理機の有用性を向上させることが可能になる。
【０１０８】
本発明は、以上の実施態様に限定されることなく、特許請求の範囲に記載された発明の範囲内で種々の変更が可能であり、それらも本発明の範囲内に包含されるものであることはいうまでもない。
【０１０９】
たとえば、前記実施態様においては、結束テープＴには、ＩＣチップとアンテナを備えたインレットが一体的に形成されているが、ＩＣチップとアンテナを備えたインレットが結束テープＴに一体的に形成されていることは必ずしも必要でなく、結束テープＴに、ＩＣチップとアンテナを備えたインレットが一体的に形成されているラベルを貼付するようにしてもよい。
【０１１０】
また、前記実施態様においては、一対の挟持部材１５ａ、１５ｂによって挟持された集積紙幣の略中央部に、結束テープＴを巻き付けて、紙幣束を生成するのに先立って、ＲＦＩＤライター２５によって、結束テープＴに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、結束テープＴを巻き付けて、紙幣束を生成するのに先立って、結束テープＴに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むことは必ずしも必要でなく、一対の挟持部材１５ａ、１５ｂによって挟持された集積紙幣の略中央部に、結束テープＴを巻き付けて、紙幣束を生成した後に、結束テープＴに一体的に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０１１１】
さらに、前記実施態様においては、紙幣束生成部１０の壁部は、ＲＦＩＤライター２５から発信される周波数の電波を遮蔽する材料によって形成され、また、紙幣束生成部１０の開口部１０ａは狭幅に形成されているが、結束テープＴに一体的に形成されたインレット内のＩＣチップに、あらかじめ、固有のＩＤデータが書き込まれ、ＩＣチップが、書き込まれた固有のＩＤデータとともに、ＲＦＩＤライター２５から発信された電波以外は受信しないように構成されている場合には、紙幣束生成部１０の壁部がＲＦＩＤライター２５から発信される周波数の電波を遮蔽する材料によって形成され、紙幣束生成部１０の開口部１０ａが狭幅に形成されることは必ずしも必要でない。
【０１１２】
また、前記実施態様においては、紙幣生成部１０の入口部分に、金属性の内部シャッタ１１が設けられているが、内部シャッタ１１は、ＲＦＩＤリーダー２０から発信される周波数の電波およびＲＦＩＤライター２５から発信される周波数の電波を遮蔽可能な材料で形成されていればよく、内部シャッタ１１を金属によって形成することは必ずしも必要でない。
【０１１３】
さらに、前記実施態様においては、紙幣生成部１０の入口部分に、金属性の内部シャッタ１１が設けられているが、外部シャッタ２が金属などのＲＦＩＤリーダー２０から発信される周波数の電波およびＲＦＩＤライター２５から発信される周波数の電波を遮蔽可能な材料で形成されていれば、紙幣生成部１０の入口部分に、内部シャッタ１１を設けることは必ずしも必要でない。
【０１１４】
また、前記実施態様においては、紙幣生成部１０の入口部分に、金属性の内部シャッタ１１が設けられているが、金属性の内部シャッタ１１を設けなくても、ＲＦＩＤリーダー２０から発信される周波数の電波およびＲＦＩＤライター２５から発信される周波数の電波は、紙幣処理機の近傍にしか到達しないから、紙幣生成部１０の入口部分に、金属性の内部シャッタ１１を設けることは必ずしも必要でない。
【０１１５】
さらに、前記実施態様においては、紙幣束生成部１０にセットされた集積紙幣に、オペレータによって指定された紙幣束を生成すべき紙幣の金種と異なる金種の紙幣および／または偽造紙幣や外国紙幣などの受け入れ不能な紙幣が含まれていた場合に、集積紙幣に、結束テープＴを巻回して、紙幣束を生成するときは、ＲＦＩＤライター２５によって、結束テープＴに一体的に形成されたインレット内のＩＣチップに、紙幣束に、オペレータが指定した金種とは異なる金種の紙幣および／または受け入れ不能な紙幣が含まれている旨のＲＦＩＤデータを書き込むように構成され、また、紙幣束生成部１０にセットされた集積紙幣の枚数が、オペレータによって指定された紙幣の枚数に満たない場合、あるいは、集積紙幣の枚数が、オペレータによって指定された紙幣の枚数を越えている場合に、集積紙幣に、結束テープＴを巻回して、紙幣束を生成するときは、ＲＦＩＤライター２５によって、結束テープＴに一体的に形成されたインレット内のＩＣチップに、紙幣束に含まれている紙幣の枚数が、オペレータが指定した枚数より少ない旨あるいは紙幣束に含まれている紙幣の枚数が、オペレータが指定した枚数より多い旨のＲＦＩＤデータを書き込むように構成されているが、さらに、結束テープＴに可視データを書き込み可能なプリンタなどのデータ書き込み手段を設け、データ書き込み手段によって、紙幣束に、オペレータが指定した金種とは異なる金種の紙幣および／または受け入れ不能な紙幣が含まれている旨のデータを、結束テープＴに書き込み、紙幣束に含まれている紙幣の枚数が、オペレータが指定した枚数より少ない旨あるいは紙幣束に含まれている紙幣の枚数が、オペレータが指定した枚数より多い旨のデータを、結束テープＴに書き込むように構成することもできる。
【０１１６】
また、前記実施態様においては、紙幣処理機は、紙幣に一体的に形成されたインレット内のＩＣチップに書き込まれたＲＦＩＤデータを読み取るＲＦＩＤリーダー２０ならびに結束テープＴに一体的に形成されたインレット内のＩＣチップに、紙幣束に含まれる紙幣に関するＲＦＩＤデータおよび帯封処理に関するＲＦＩＤデータを書き込むＲＦＩＤライター２５を備えているが、紙幣処理機が、互いに独立したＲＦＩＤリーダー２０およびＲＦＩＤライター２５を備えていることは必ずしも必要でなく、ＲＦＩＤリーダー２０およびＲＦＩＤライター２５に代えて、紙幣に一体的に形成されたインレット内のＩＣチップに書き込まれたＲＦＩＤデータを読み取り可能で、かつ、結束テープＴに一体的に形成されたインレット内のＩＣチップに、紙幣束に含まれる紙幣に関するＲＦＩＤデータおよび帯封処理に関するＲＦＩＤデータを書き込み可能なＲＦＩＤリーダー・ライターを設けることもできる。
【図面の簡単な説明】
【０１１７】
【図１】図１は、本発明の好ましい実施態様にかかる紙幣処理機の略斜視図である。
【０１１８】
【図２】図２は、図１のＸ−Ｘ線に沿った略断面図である。
【０１１９】
【図３】図３は、図１および図２に示された紙幣処理機の制御系、検出系、駆動系、入力系および表示系を示すブロックダイアグラムである。
【符号の説明】
【０１２０】
１  ハウジング
２  外部シャッタ
５  操作パネル
５ａ  キーボード
５ｂ  ディスプレイ
６  スピーカー
１０  紙幣束生成部
１０ａ  開口部
１１  内部シャッタ
１５ａ、１５ｂ  一対の挟持部材
１６  結束テープ供給部材
１７  カッタ
２０  ＲＦＩＤリーダー
２５  ＲＦＩＤライター
３０  ＣＰＵ
３１  ＲＯＭ
３２  ＲＡＭ
３３  時計
３５  紙幣センサ
４０  シャッタソレノイド
４１  モータ
４２  モータ
４３  カッタソレノイド
４４  ＲＦＩＤライター駆動手段
４５  巻き付け部材
４６  巻き付けモータ
４７  接着手段
４８  接着モータ
Ｔ  結束テープ
【図１】
2008257452.tif 000003
【図２】
2008257452.tif 000004
【図３】
2008257452.tif 000005